(57)【特許請求の範囲】
【請求項１】
第一の電源から電力供給のなされた状態で所定の機器機能を実行する機能実行手段を有する電子機器において、
上記第一の電源から電力供給のなされた状態で入力データに基づいて上記機能実行手段の動作制御処理を少なくとも含む第一種の制御処理を行う第一の制御処理手段と、
第二の電源から電力供給がなされた状態で入力データに基づいて上記第一の電源の投入制御処理を少なくとも含む第二種の制御処理を行う第二の制御処理手段と、
上記第一の制御処理手段が行う第一種の制御処理に含まれる上記機能実行手段の動作制御処理以外の処理と上記第二の制御処理手段が行う第二種の制御処理に含まれる第一の電源の投入制御処理以外の処理を可変にする制御処理可変手段と、
所定時間中に外部装置から受付けたコマンド処理数をカウントするカウント手段とを有し、
上記カウント手段がカウントした所定時間中のコマンド処理数に応じて、上記制御可変手段により上記第一の制御処理手段および上記第二の制御処理手段の制御処理を可変とすることを特徴とする電子機器。
【請求項２】
第一の電源から電力供給のなされた状態で所定の機器機能を実行する機能実行手段を有する電子機器の制御装置において、
上記第一の電源から電力供給のなされた状態で入力データに基づいて上記機能実行手段の動作制御処理を少なくとも含む第一種の制御処理を行う第一の制御処理手段と、
第二の電源から電力供給がなされた状態で入力データに基づいて上記第一の電源の投入制御処理を少なくとも含む第二種の制御処理を行う第二の制御処理手段と、
上記第一の制御処理手段が行う第一種の制御処理に含まれる上記機能実行手段の動作制御処理以外の処理と上記第二の制御処理手段が行う第二種の制御処理に含まれる第一の電源の投入制御処理以外の処理を可変にする制御処理可変手段と、
所定時間中に外部装置から受付けたコマンド処理数をカウントするカウント手段とを有し、
上記カウント手段がカウントした所定時間中のコマンド処理数に応じて、上記制御可変手段により上記第一の制御処理手段および上記第二の制御処理手段の制御処理を可変とすることを特徴とする制御装置。
【請求項３】
第一の電源から電力供給のなされた状態で所定の機器機能を実行する機能実行手段を有する電子機器の制御処理をコンピュータに行わせるためのプログラムにおいて、前記コンピュータを、
上記第一の電源から電力供給のなされた状態で入力データに基づいて上記機能実行手段の動作制御処理を少なくとも含む第一種の制御処理を行う第一の制御処理手段と、
第二の電源から電力供給がなされた状態で入力データに基づいて上記第一の電源の投入制御処理を少なくとも含む第二種の制御処理を行う第二の制御処理手段と、
上記第一の制御処理手段が行う第一種の制御処理に含まれる上記機能実行手段の動作制御処理以外の処理と上記第二の制御処理手段が行う第二種の制御処理に含まれる第一の電源の投入制御処理以外の処理を可変にする制御処理可変手段と、
所定時間中に外部装置から受付けたコマンド処理数をカウントするカウント手段として機能させ、
上記カウント手段がカウントした所定時間中のコマンド処理数に応じて、上記制御可変手段により上記第一の制御処理手段および上記第二の制御処理手段の制御処理を可変とすることを特徴とするプログラム。
【請求項４】
請求項３に記載のプログラムを記憶したコンピュータにて読取り可能な記録媒体。
【発明の詳細な説明】
【０００１】
【発明の属する技術分野】
本発明は、プリンタ装置等の電子機器に係り、詳しくは、各機能部に対する電源投入制御を行うことにより電力消費の低減を図るようにした電子機器に関する。
【０００２】
また、そのような電子機器に用いられる制御装置並びにその制御をコンピュータに行わせるためのプログラムに関する。
【０００３】
【従来の技術】
従来、自動電源投入機能を備えたプリンタ装置が提案されている（特開平11-327853）。このプリンタ装置では、副電源から電力供給がなされて有効となる制御部がインタフェース部を介して入力されるデータの内容を判定し、その入力データが記録部（機能実行手段）の機械的構成要素を動作させる制御命令や記録データである場合に、その記録部に電力供給を行うべき主電源を投入するようにしている。
【０００４】
このようなプリンタ装置では、単にデータが入力されたかということだけではなく、その入力データが予め定めた特定のデータである場合に主電源を投入するようにしているので、消費電力の低減を図ることができるようになる。
【０００５】
【発明が解決しようとする課題】
上記のようなプリンタ装置等の電子機器は、主電源の制御を行うために全ての入力データの内容を判定していることから、入力され得る全ての種類のデータの判定を行うための機能を常に有効に保っておかなければならない。そのため、単に入力データの有無に基づいて主電源の制御を行う場合に比べて、その機能を常時有効にしておかなければならない制御部への電力供給を行う副電源の負担が増大する。
【０００６】
また、近年、電子機器の機能の多様化に伴ってその電子機器に入力入され得るデータの種類が増大する傾向にある。例えば、ネットワークやバスに接続して使用可能な電子機器では、その電子機器の本来の機能（プリンタ装置における印刷機能等）に直接関係無いネットワークやバスの制御のためのデータや当該電子機器の動作状態を問い合わせるためのデータ等も本来の機能に直接関係のあるデータと共に入力される。
【０００７】
このような状況では、上記入力データの内容を判定する機能を実現するための処理（プログラム）がより複雑となり、そのような複雑な処理により実現される機能を常時有効に保たなければならない制御部に対して電力供給を行う副電源の負担が更に増大する傾向となる。
【０００８】
そこで、本発明の第一の課題は、制御に係る電力消費をできるだけ低減できるようにした電子機器を提供することである。
【０００９】
また、本発明の第二の課題は、そのような電子機器に適用される制御装置を提供することである。
【００１０】
更に、本発明の第三の課題は、そのような制御装置での処理をコンピュータに行わせるためのプログラム及びそのプログラムを記憶した記録媒体を提供することである。
【００１１】
【課題を解決するための手段】
上記第一の課題を解決するため、本発明は、請求項１に記載されるように、第一の電源から電力供給のなされた状態で所定の機器機能を実行する機能実行手段を有する電子機器において、上記第一の電源から電力供給のなされた状態で入力データに基づいて上記機能実行手段の動作制御処理を少なくとも含む第一種の制御処理を行う第一の制御処理手段と、第二の電源から電力供給がなされた状態で入力データに基づいて上記第一の電源の投入制御処理を少なくとも含む第二種の制御処理を行う第二の制御処理手段と、上記第一の制御処理手段が行う第一種の制御処理に含まれる上記機能実行手段の動作制御処理以外の処理と上記第二の制御処理手段が行う第二種の制御処理に含まれる第一の電源の投入制御処理以外の処理を可変にする制御処理可変手段と、所定時間中に外部装置から受付けたコマンド処理数をカウントするカウント手段とを有し、上記カウント手段がカウントした所定時間中のコマンド処理数に応じて、上記制御可変手段により上記第一の制御処理手段および上記第二の制御処理手段の制御処理を可変とすることを特徴とする電子機器である。
【００１２】
このような電子機器では、第二の電源から電力供給を受ける第二の制御処理手段が入力データに基づいて第一の電源の投入制御処理を行なうと、第一の電源から第一の制御処理手段への電力供給がなされる。この状態で、第一の制御処理手段は、機能実行手段の動作制御処理を含む第一種の制御処理を行う。上記第一の電源の投入が行われるまでは第一の制御処理手段は有効とならず、その第一種の制御処理を行う第一の制御処理手段を有効に保つための電力は必要なくなる。また、第一の電源と第二の電源での電力消費のバランスをとって全体の電力消費の低減を行うことができる。
【００３５】
上記第二の課題を解決するため、本発明は、請求項２に記載されるように、第一の電源から電力供給のなされた状態で所定の機器機能を実行する機能実行手段を有する電子機器の制御装置において、上記第一の電源から電力供給のなされた状態で入力データに基づいて上記機能実行手段の動作制御処理を少なくとも含む第一種の制御処理を行う第一の制御処理手段と、第二の電源から電力供給がなされた状態で入力データに基づいて上記第一の電源の投入制御処理を少なくとも含む第二種の制御処理を行う第二の制御処理手段と、上記第一の制御処理手段が行う第一種の制御処理に含まれる上記機能実行手段の動作制御処理以外の処理と上記第二の制御処理手段が行う第二種の制御処理に含まれる第一の電源の投入制御処理以外の処理を可変にする制御処理可変手段と、所定時間中に外部装置から受付けたコマンド処理数をカウントするカウント手段とを有し、上記カウント手段がカウントした所定時間中のコマンド処理数に応じて、上記制御可変手段により上記第一の制御処理手段および上記第二の制御処理手段の制御処理を可変とすることを特徴とする制御装置である。
【００３６】
上記第三の課題を解決するため、本発明は、請求項３に記載されるように、第一の電源から電力供給のなされた状態で所定の機器機能を実行する機能実行手段を有する電子機器の制御処理をコンピュータに行わせるためのプログラムにおいて、前記コンピュータを、  上記第一の電源から電力供給のなされた状態で入力データに基づいて上記機能実行手段の動作制御処理を少なくとも含む第一種の制御処理を行う第一の制御処理手段と、  第二の電源から電力供給がなされた状態で入力データに基づいて上記第一の電源の投入制御処理を少なくとも含む第二種の制御処理を行う第二の制御処理手段と、上記第一の制御処理手段が行う第一種の制御処理に含まれる上記機能実行手段の動作制御処理以外の処理と上記第二の制御処理手段が行う第二種の制御処理に含まれる第一の電源の投入制御処理以外の処理を可変にする制御処理可変手段と、所定時間中に外部装置から受付けたコマンド処理数をカウントするカウント手段として機能させ、上記カウント手段がカウントした所定時間中のコマンド処理数に応じて、上記制御可変手段により上記第一の制御処理手段および上記第二の制御処理手段の制御処理を可変とすることを特徴とするプログラムである。
【００３９】
上述した各プログラムは、通信回線や記録媒体を用いて上記電子機器に提供することができる。
【００４０】
【発明の実施の形態】
以下、本発明の実施の形態を図面に基づいて説明する。
【００４１】
［第一の実施形態］
本発明の実施の形態に係る電子機器が適用されるシステムは、例えば、図１に示すように構成される。
【００４２】
この図１に示すシステムでは、パソコン１００、画像読取装置１１０、プリンタ２００、２１０がバスＢ（SCSI、IEEE 1394、IEEE 802.3u等）に接続されている。各プリンタ２００、２１０は、パソコン１００や画像読取装置１１０からバスＢを介して転送されるデータに基づいてプリント動作を行う。各プリンタ装置２００、２１０は、本発明に係る電子機器であり、例えば、図２に示すように構成される。なお、図２は、プリンタ装置２００の構成を示しているが、プリンタ装置２１０も同様の構成となる。
【００４３】
図２において、このプリンタ装置２００は、インタフェース部（IF部）２０１、副制御部２０２、主制御部２０３、記録部２０４、副電源２０５及び主電源２０６を有し、当該プリンタ装置２００全体を副制御部２０２及び主制御部２０３の２つの制御部にて制御するようになっている。
【００４４】
上記主制御部２０３には記録部２０４及び副制御部２０２がそれぞれ制御線にて接続され、副制御部２０２にはインタフェース部２０１及び主電源２０６が制御線にて接続されている。また、主電源２０６は、主制御部２０３及び記録部２０４に電力線にて接続され、それぞれに電力供給を行う。副電源２０５は、インタフェース部２０１及び副制御部２０２に電力線にて接続され、それぞれに電力供給を行う。
【００４５】
インタフェース部２０１は、副電源２０５から電力供給がなされる状態で、バスＢ上の当該プリンタ装置２００宛てのデータを取得し、そのデータを所定の形式にて副制御部２０２に供給する。このバスＢから取得されるプリンタ装置２００宛てのデータには、例えば、記録媒体（紙など）に記録されるべき画像、図形、文字等を表す記録データ、当該プリンタ装置２００の状態を設定するための制御命令、記録部２０４に記録動作（プリント動作）を実行させるための制御命令、当該プリンタ装置２００の状態の問い合わせ情報等の各種のデータが含まれ得る。
【００４６】
副制御部２０２は、副電源２０５から電力供給がなされる状態で、上記のようにインタフェース部２０１から供給されるデータの種類に応じて、そのデータに基づいたインタフェース制御、主電源２０６の投入制御、更に、データの主制御部２０３への転送制御を行う。主制御部２０３は、主電源２０６からの電力供給がなされる状態で、副制御部２０２から転送されてくるデータに基づいて主に記録部２０４に対するプリント動作制御を行う。
【００４７】
記録部２０４は、当該プリンタ装置２００が本来目的とする機能（プリント機能）を実行するための機能実行手段であり、プリントエンジンや給紙機構等を備えている。そして、この記録部２０４は、主電源２０６からの電力供給がなされる状態で、主制御部２０６による上記プリント制御のもと当該主制御部２０６から転送される記録データに対応した画像、図形、文字等を記録紙にプリントする。
【００４８】
なお、副電源２０５は、上記副制御部２０２にて投入制御がなされる主電源２０６とは異なり、インタフェース部２０１及び副制御部２０２に対して常時電力供給を行う。
【００４９】
また、なお、図２では、ユーザの操作に基づいてプリント動作に必要な各種信号を生成する操作部（テンキー、ファンクションキー、電源スイッチ等）については省略されている。
【００５０】
ところで、上記プリンタ装置２００の具体的な機能構成をパソコン１００の機能構成との比較で示すと、例えば、図３に示すようになる。
【００５１】
図３において、このプリンタ装置２００は、パソコン１００のアプリケーション１０１に対応した画像形成部２０４ａ、パソコン１００のプリンタドライバ１０２に対応したプリンタ制御部２０３ａを有すると共に、パソコン１００の伝送制御部１０３及び通信路制御部１０４のそれぞれの階層との情報交換を行う伝送制御部２０２ａ及び通信路制御部２０１ａを有する。
【００５２】
このような階層的な機能構造となるプリンタ装置２００では、通信路制御部２０１ａがパソコン１００の通信路制御部１０４との間でバスＢを介した通信のインタフェース制御を行う。伝送制御部２０２ａは、パソコン１００の伝送制御部１０３との間で、パソコン１００から伝送されるデータの種類、データ量、そのデータの送り方等に関する情報の交換を行う。
【００５３】
上記通信路制御部２０１ａでのインタフェース制御のもと、上記伝送制御部２０２ａでのパソコン１００との情報交換がなされた後に、パソコン１００のプリンタドライバ１０２からの制御信号が各階層の制御部及びバスＢを介してプリンタ装置２００のプリンタ制御部２０３ａに転送されると共に、パソコン１００のアプリケーション１０１にて作成された記録データがプリンタ装置２００の画像形成部２０４ａに転送される。そして、画像形成部２０４ａが上記制御信号に基づいたプリンタ制御部２０３ａによる制御のもと上記記録データに基づいてプリント処理を行う。
【００５４】
上記のようなプリンタ装置２００の階層的な機能構成において、通信路制御部２０１ａの機能は図２に示すインタフェース部２０１に含まれ、伝送制御部２０２ａの機能は図２に示す副制御部２０２に含まれ、プリンタ制御部２０３ａの機能は図２に示す主制御部２０３に含まれ、更に、画像形成部２０４ａの機能は図２に示す記録部２０４に含まれる。その結果、通信路制御部２０１ａ及び伝送制御部２０２ａは副電源２０５から常時電源供給がなされる一方、プリンタ制御部２０３ａ及び画像形成部２０４ａは、副制御部２０２にて投入制御のなされる主電源２０６から電源供給がなされる。
【００５５】
図２に示すような構成のプリンタ装置２００における副制御部２０２及び主制御部２０３の制御動作について図４及び図５に示す状態遷移図を参照して説明する。なお、図４は、副制御部２０２が制御動作を行う際の状態遷移図であり、図５は、主制御部２０３が制御動作を行う際の状態遷移図である。
【００５６】
まず、ユーザが当該プリンタ装置２００の電源スイッチ（図示略）のオン操作を行うと、副電源２０２からインタフェース部２０１及び副制御部２０２に電力供給がなされる。このとき、主電源２０６に対する電源投入は行われず、主制御部２０３及び記録部２０４に対する電力供給は行われない。図４において、副制御部２０２は、上記のように副電源２０５からの電力供給が開始されると、状態ST0に遷移する（TR0）。この状態ST0において、副制御部２０２は、インタフェース部２０１の初期化を行い、その初期化が終了すると、状態ST11に遷移する（TR11）。この状態ST11において、副制御部２０２は、インタフェース部２０１から送られてくるデータの待ち状態となる。
【００５７】
このデータの待ち状態（ST11）において、インタフェース部２０１からデータが送られてくると、副制御部２０２は、状態ST12に遷移し（TR12）、その送られてきたデータの内容を解析する。そして、副制御部２０２はその解析結果に応じた処理を行う。そのデータの内容がパソコン１００等の外部機器から送られてきた仮想回線接続を要求するものであれば、副制御部２０２は、状態ST13に遷移する（TR13）。また、そのデータ内容が通信相手と接続に関する情報の交換を行わない所定の通信（コネクションレス型通信）プロトコルに従ったプリント装置２００の状態管理に関するものであれば、副制御部２０２は、状態ST31に遷移する（TR16）。インタフェース部２０１から送られてくるデータがそれら以外のデータであれば、副制御部２０２は状態ST14に遷移する（TR14）。
【００５８】
この状態ST14では、副制御部２０２は、インタフェース部２０１から送られてきたデータに含まれる各種コマンドに従って通信インタフェースに関する処理（バスＢ自体の通信制御に必要なデータの処理、通信障害等の情報通知要求に関するデータの処理等）を行い、その処理が終了すると、状態ST11に戻って（TR15）、インタフェース部２０１からのデータの待ち状態となる。以後、インタフェース部２０１から送られてくるデータが、仮想回線接続を要求するものや通信相手と接続に関する情報の交換を行わない所定の通信プロトコルに従ったプリンタ装置２００の状態管理に関するもの以外のものである限り、主電源２０６の投入がなされることはなく、副制御部２０２がそのデータに含まれる各種コマンドに従って通信インタフェースに関する処理を実行する（ST11→ST12→ST14→ST11）。
【００５９】
上記インタフェース部２０１からのデータが仮想回線接続を要求するものであることにより状態ST13に遷移した副制御部２０２は、そのデータに含まれる接続コマンドの付随パラメータに従って、データの送信元となるパソコン１００等の外部機器との仮想回線接続処理を行う。この仮想回線接続処理が終了すると、副制御部２０２は、状態ST31に遷移し（TR31）、主電源２０６の投入処理を行う。この主電源２０６の投入処理により、主電源２０６から主制御部２０３及び記録部２０４に対する電力供給が開始される。
【００６０】
また、上記インタフェース部２０１からのデータが通信相手と接続に関する情報の交換を行わない所定の通信プロトコルに従ったプリンタ装置２００の状態管理に関するものであることにより状態ST31に遷移した副制御部２０２は、上記のような仮想回線接続制御を行うことなく、上述した主電源２０６の投入制御を行う。
【００６１】
上記主電源２０６の投入処理が終了すると、副制御部２０２は、状態ST21に遷移し（TR32）、インタフェース部２０１からのデータ及び主制御部２０３からの電源供給断要求の通知の待ち状態となる。この状態ST21において、副制御部２０２は、インタフェース部２０１からデータを受信すると、状態ST22に遷移し（TR21）、インタフェース部２０1からのデータの解析を行う。
【００６２】
その解析の結果、そのデータが前述した仮想回線接続された外部機器からの転送データであると、副制御部２０２は、状態ST23に遷移して（TR22）その外部機器からのデータを主制御部２０３に転送する。また、そのデータが上記通信相手と接続に関する情報の交換を行わない所定の通信プロトコルに従ったプリンタ装置２００の状態管理に関するデータ（例えば、プリンタ装置２００の状態を設定するための装置設定命令、プリンタ装置２００の状態を問い合わせるための装置問い合わせ命令等）であると、副制御部２０２は、上記と同様に、状態ST23に遷移して（TR22）そのデータを主制御部２０３に転送する。
【００６３】
インタフェース部２０１からのデータが上記以外のデータであると、副制御部２０２は、状態ST24に遷移して（TR23）、そのデータに含まれる各種コマンドに従って通信インタフェースに関する処理を実行する。
【００６４】
上記のようにして状態ST23または状態ST24での処理が終了すると、副制御部２０２は、状態ST21に戻って（TR25またはTR24）、インタフェース２０１からのデータ及び主制御部２０３からの電源供給断要求の通知待ちの状態となる（ST21）。以後、上記と同様に、副制御部２０２は、インタフェース部２０１からのデータが主制御部２０３に供給すべきデータ（仮想回線接続された外部機器からの転送データまたは通信相手と接続に関する情報の交換を行わない所定の通信に従って受信されたデータ）となる場合には、そのデータを主制御部２０３に転送し（ST22→ST23）、それ以外のデータについては、そのデータに含まれる各種コマンドに従って通信インタフェースに関する処理を実行する（ST22→ST24）。
【００６５】
また、上述した状態ST21において、副制御部２０２は、主制御部２０３から電源供給断要求の通知を受信すると、状態ST32に遷移して（TR33）、主電源２０６の電源供給停止処理を開始する。そして、主電源２０６の電源供給停止処理が完了すると、副制御部２０２は、状態ST11に戻り（TR34）、主電源２０６から主制御部２０３及び記録部２０４への電力供給が停止された状態で、インタフェース部２０１からのデータの待ち状態となる。
【００６６】
上記のような状態遷移に従って副制御部２０２が処理を行う過程で、主制御部２０３は、図５に示す状態遷移に従って処理を行う。
【００６７】
図５において、前述したように副制御部２０２が主電源２０６の投入制御を行うことにより（図４に示す状態ST31参照）主電源２０６から主制御部２０３への電力供給が開始されると、当該主制御部２０３は、状態ST41となって上記副制御部２０２からの転送データの待ち状態となる。この状態ST41において、主制御部２０３は、副制御部２０２から転送されるデータを受信すると（図４に示す状態ST23参照）、状態ST42に遷移し（TR41）、そのデータの内容の解析を行う。
【００６８】
そのデータが仮想回線接続された外部機器（パソコン１００）から供給される記録部２０４でのプリント動作に使用されるべき記録データであるとの解析結果が得られると、主制御部２０３は、状態ST44に遷移して（TR44）その記録データを一時的にメモリやハードディスク等の格納手段に格納するための処理を行う。そして、その処理が完了すると、主制御部２０３は、状態ST41に戻って（TR45）、副制御部２０２から転送されるデータの待ち状態となる。上記仮想回線接続された外部機器から所定の単位で記録データが供給される間、主制御部２０３は上記と同様の状態遷移（ST41→ST42→ST44→ST41）を繰り返し行ってその各状態での処理を実行する。その過程で、仮想回線接続された外部機器からの記録データが上記格納手段に順次蓄積される。
【００６９】
上記のように状態遷移がなされている過程で、状態ST42において副制御部２０２からのデータが記録部２０４にプリント動作を実行させるための制御命令であるとの解析結果が得られると、主制御部２０３は、状態ST45に遷移して（TR46）主電源２０５からの電力供給を受ける記録部２０４の初期化を行う。その初期化が終了すると、主制御部２０３は、更に、状態ST46に遷移して（TR47）上記のように格納手段に蓄積された記録データを用いたプリント動作の実行指示を記録部２０４に行う。その結果、既に初期化された記録部２０４は、そのプリント動作の実行指示に従って主制御部２０３からの記録データに基づいてプリント動作を行う。
【００７０】
主制御部２０３は、上記のように記録部２０４に対するプリント動作の実行指示を完了すると、再び状態ST41に戻って（TR48）副制御部２０２からのデータの待ち状態となる。
【００７１】
データの待ち状態となる主制御部２０３が副制御部２０２からのデータを受信して状態ST42に遷移し、そのデータが上記記録データ及びプリント動作の実行指示以外のものであるとの解析結果を得ると、主制御部２０３は状態ST43に遷移する（TR42）。この場合副制御部２０２からのデータは、当該プリンタ装置２００の状態を設定するための装置設定命令、もしくは当該プリンタ装置２００の状態を問い合わせるための装置問い合わせ命令である。上記状態ST43となる主制御部２０３は、副制御部２０２からのデータの内容に基づいて装置状態の設定処理やその問い合わせに対する装置状態の応答処理を行う。
【００７２】
このような処理が終了すると、主制御部２０３は、状態ST41に遷移して（TR43）副制御部２０２からの転送データの待ち状態になる。
【００７３】
主制御部２０３が副制御部２０２からの転送データの待ち状態において（ST41）、一定時間以上副制御部２０２からデータの転送がなされない場合、主制御部２０３は、状態ST52に遷移する（TR53）。この状態ST52において、主制御部２０３は副制御部２０２に対して主電源２０６からの電力供給を停止させるための主電源供給断要求を供給する。そして、主制御部２０３は、状態ST50に遷移して（TR54）主電源２０６からの電力供給遮断に備える。
【００７４】
上記主電源供給断要求を受信した副制御部２０２が、前述したように（図４におけるST32参照）、電源供給停止処理を行うことにより、主電源２０６から主制御部２０３及び記録部２０４への電力供給が遮断される。
【００７５】
上記のような状態遷移に従って制御動作を行う副制御部２０２及び主制御部２０３の更に具体的な処理手順について図６を参照して説明する。
【００７６】
図６において、インタフェース部２０１からのデータ待ち状態（図４に示すST11）となる副制御部２０２にARP（Address Resolution Protocol）に従った当該プリンタ装置２００のMACアドレス（ネットワーク内での固有アドレス）の問い合わせ要求があると（APR要求）、副制御部２０２は当該プリンタ装置２００のMACアドレスをその問い合わせ要求（ARP要求）に対する応答（ARP応答）としてその要求元に返す（図４に示すST11→ST12→ST14）。また、副制御部２０２は、ICMP（Internet Control Message Protocol）に従った情報通知要求（ICMP要求）を受信すると、その情報通知要求（エコー、タイムスタンプ等）に対する応答（ICMP応答）をその要求元に返す（図４に示すST11→ST12→ST14）。
【００７７】
上記のようにインタフェース部２０１からのデータの待ち状態となる副制御部２０２は、SNMP（Simple Network Management Protocol）に従ったコネクションレス型通信により当該プリンタ装置２００の状態管理に係る、例えば、状態設定の要求や当該プリンタ装置２００の状態問い合わせの要求（SNMP要求）を受信すると、主電源２０６の投入制御を行う（図４に示すST11→ST12→ST31）。そして、副制御部２０２は、その要求に係るデータを主電源２０６から電力供給の開始された主制御部２０４に転送する（図４に示すST31→ST21→ST22→ST23）。
【００７８】
上記主電源２０６の投入により副制御部２０２からの転送データの待ち状態（図５に示すST41）となる主制御部２０３は、副制御部２０２からのデータを受信すると、そのデータに含まれるコマンドに従った処理を行い、その処理結果を副制御部２０２に送る（図５に示すST41→ST42→ST43）。そして、その処理結果が上記要求（SNMP要求）の応答（SNMP応答）としてその要求元に転送される。
【００７９】
上記要求（SNMP要求）に対する処理を終了した後、副制御部２０２からのデータの待ち状態（図５に示すST41）となる主制御部２０３は、一定時間以上副制御部２０２からデータの転送がないと、主電源切断要求を発行する（図５に示すST52）。この主電源切断要求を受信した副制御部２０２は主電源２０６からの電力供給を遮断する（図４に示すST32）。
【００８０】
上記のように主電源２０６からの電力供給が遮断された後、インタフェース部２０１からのデータの待ち状態（図４に示すST11）になる副制御部２０２は、TCP（Transport Control Protocol）に従った外部機器（パソコン１００）からの接続要求（TCP接続要求）を受信すると、その接続要求の応答（TCP接続応答）を外部機器に送信する。その後、副制御部２０２は、その外部機器からの応答（TCP接続応答）を受領した旨（TCP接続応答受領）のメッセージを受信する（図５に示すST11→ST12→ST13）。これにより、外部機器（パソコン１００）と当該プリンタ装置２００との仮想回線接続が確立される。
【００８１】
このように外部機器と当該プリンタ装置２００との仮想回線接続が確立されると、副制御部２０２は、主電源２０６の投入制御を行う（図４に示すST31）。そして、副制御部２０２は、インタフェース部２０１からのデータの待ち状態（図４に示すST21）となる。
【００８２】
この状態で、外部機器からTCPに従ってプリント動作に係るデータ（記録データ、制御信号等）が送信され（TCPデータ送信）、そのデータを副制御部２０２が受信すると、副制御部２０２は、その受信データを主制御部２０３に転送する（図４に示すST21→ST22→ST23）。このデータを受信した主制御部２０３は、そのデータの解析を行い、そのデータに含まれる各種プリンティングプロトコル（LPDP：Line Printer Daemon Protocol、IPP：Internet Printing Protocol等）のコマンドに従ったプリント処理を行う（図５に示すST41→ST42→ST44、ST41→ST42→ST45→ST46）。そして、主制御部２０３が外部機器宛ての上記処理結果を副制御部２０２に転送すると、その処理結果が応答（TCPデータ応答）として副制御部２０２から外部機器（パソコン１００）に送信される。
【００８３】
以後、副制御部２０２は、外部機器からのプリント動作に係るデータを順次主制御部２０３に転送し、そのデータを受信した主制御部２０３は、そのデータに含まれるコマンドに従ったプリント処理及び応答処理を実行する。その結果、主制御部２０３にて制御される記録部２０４が外部機器からの記録データに基づいてプリント動作を行う。
【００８４】
上述したように、本実施の形態に係る電子機器（プリンタ装置２００）では、インタフェース部２０１からの入力データが副制御部２０２での処理に必要なもの（ARP要求、ICMP要求等）であって、主制御部２０３の図５に示す状態遷移に基づいた機能を有効に保持する必要がない状況では、主電源２０６の投入はなされない。従って、プリンタ装置２００の消費電力低減を図ることができる。また、プリンタ装置２００全体の制御機能のうち主制御部２０３での機能を除いた副制御部２０２の図４に示す状態遷移に基づいた機能だけを有効に保持すればよいため、副電源２０５の電力負担も低減することができる。
【００８５】
[第二の実施形態]
ところで、上記のようなプリンタ装置２００等が接続されたネットワークは、接続される機器の台数によって小規模なものから大規模なものまで存在する。ネットワークに接続される各機器が持つ能力を相互に効率よく利用するといったネットワーク構成のシステムの利点を生かすには、各機器の障害、構成、性能についての管理を常に行う必要がある。
【００８６】
小規模のネットワークでは、ユーザが自ら各機器を管理することも可能であるが、大規模のネットワークでは、その作業が複雑になって管理しきれなくなる。このような状況を打開するため、管理の自動化を実現する規格化されたネットワーク管理手順（例えば、前述したSNMP：Simple Network Management Protocol）をネットワーク内の各機器の管理に導入するケースが多い。
【００８７】
このようなネットワーク管理手順を用いたネットワーク構成のシステムでは、管理する機器側の管理処理（管理される機器の状態の把握、変更）の実行頻度や管理される機器１台当たりの管理する機器の台数などのネットワーク環境によって、一定時間内において管理する機器と管理される機器との間でのパラメータ（管理される機器の状態の問い合わせ及びその応答、その状態の設定に係る命令等）のやり取りの回数は異なる。
【００８８】
上述したプリンタ装置２００では、上記管理に関するデータに基づいた制御処理は、主制御部２０３にて実行されるようになっている（図５に示すST43）。その管理の実行頻度が低い環境のネットワークにプリンタ装置２００が接続される場合、上記管理に関するデータを処理する頻度が低いため、主制御部２０３に電力を供給する主電源２０６が投入される頻度はそれほど高くない。そのような低頻度での主電源２０６の投入より、その管理に係る処理を副制御部２０２で行うためにその管理に係る機能を常時有効に保持し続けるために副電源２０５の負担が大きくなることのほうが好ましくない。
【００８９】
しかし、その管理の実行頻度が高い環境のネットワークにプリンタ装置２００が接続される場合、上記管理に関するデータを処理する頻度が高くなるため、主制御部２０３に電力を供給する主電源２０６が投入される頻度が高くなる。このような高頻度での主電源２０６の投入は、その管理に係る処理を副制御部２０２で行うためにその管理に係る機能を常時有効に保持し続けるために副電源２０５の負担が大きくなることよりも好ましいものではない。
【００９０】
そこで、次の例では、接続されるネットワークの機器管理に関する環境に応じて電力消費をより低く抑えることのできるプリンタ装置２００について説明する。
【００９１】
この例に係るプリンタ装置は、例えば、図７に示すように構成される。なお、図７において図２と同じ部分については同一の参照番号が付されており、その詳細な説明については省略する。
【００９２】
図７に示すプリンタ装置２００は、図２に示す例と同様に、インタフェース部２０１、副制御部２０２、主制御部２０３、記録部２０４、副電源２０５及び主電源２０６を有している。このプリンタ装置２００は、更に、副電源２０５と電力線で接続されその副電源２０５から常時電力供給がなされる制御切替部２０７を有している。また、副制御部２０２及び主制御部２０３のそれぞれは、機器管理に係る処理が比較的低い頻度でなされるネットワークに適した制御シーケンス（制御プログラムであって、以下、低頻度用制御シーケンスという）と、機器管理に係る処理が比較的高い頻度でなされるネットワークに適した制御シーケンス（制御プログラムであって、以下、高頻度用制御シーケンスという）を搭載している。
【００９３】
副制御部２０２に搭載される低頻度用制御シーケンスは、既に説明した図４に示す状態遷移に従った制御シーケンスであり、主制御部２０３に搭載される低頻度用制御シーケンスは、既に説明した図５に示す状態遷移に従った制御シーケンスである。また、副制御部２０２に搭載される高頻度用制御シーケンスは、後述する図８に示す状態遷移に従った制御シーケンスであり、主制御部２０３に搭載される高頻度用制御シーケンスは、後述する図９に示す状態遷移に従った制御シーケンスである。
【００９４】
制御切替部２０７は、例えば、プリンタ装置２００を管理するユーザによる操作部の所定操作により入力され、または当該プリンタ装置２００がネットワーク（バスB）に接続される際に設定される接続ネットワークの環境情報に基づいて、当該プリンタ装置２００が接続されるネットワークでは状態管理の処理が低頻度でなされるか高頻度でなされるかの判定を行う。プリンタ装置２００が接続されるネットワークでは状態管理の処理が低頻度でなされるとの判定がなされると、制御切替部２０７は、副制御部２０２及び主制御部２０３のそれぞれに対して低頻度用制御シーケンスを使用するよう指示する。
【００９５】
この指示を受けた副制御部２０２及び主制御部２０３は、前述したように、図４及び図５に示す状態遷移に対応した制御シーケンスに従ってプリンタ装置２００の制御を行う。
従って、図６に示すように、SNMPに従ったコネクションレス型通信により当該プリンタ装置２００の状態管理に係る、例えば、状態設定の要求や当該プリンタ装置２００の状態問い合わせの要求（SNMP要求）を受信すると、副制御部２０２は、主電源２０６の投入制御をおこなう（図４に示すST11→ST12→ST31）。そして、主電源２０６から電力供給を受けた状態でその要求を副制御部２０２から受信した主制御部２０３は、その要求に係る処理を実行し、その処理結果を上記要求の応答（SNMP応答）として要求元に返す（図５に示すST41→ST42→ST43）。
【００９６】
このような低頻度用制御シーケンスに従った処理によれば、プリンタ装置２００の状態管理に係る処理が主制御部２０３にて行われるため、副制御部２０２がその状態管理に係る処理の機能を常時有効に保つ必要が無くなり、副電源２０５の負担が軽減される。また、プリンタ装置２００の状態管理に係る処理の頻度も比較的低いので、主電源２０６が頻繁に投入されることもない。
【００９７】
一方、プリンタ装置２００が接続されるネットワークでは状態管理の処理が高頻度でなされるとの判定がなされると、制御切替部２０７は、副制御部２０２及び主制御部２０３のそれぞれに対して高頻度用制御シーケンスを使用するよう指示する。
【００９８】
上記指示を受けた副制御部２０２は、図８に示す状態遷移に対応した高頻度制御シーケンスに従って次のように制御動作を行う。なお、図８において、図４に示す部分と同一の部分については同一の参照符号が付されており、その詳細については省略する。
【００９９】
図８に示す状態遷移では、図４に示す状態遷移と比較して、状態ST17及び状態ST27が増えており、図４に示す主電源２０６の投入制御を行う状態ST31に至る遷移経路TR16が無い。
【０１００】
図８において、前述したように、インタフェース部２０１からのデータの待ち状態（ST11）となる副制御部２０２は、インタフェース部２０１からデータが送られてくると、状態ST12Kに遷移し（TR12）、その送られてきたデータの内容を解析する。そして、副制御部２０２はその解析結果に応じた処理を行う。そのデータの内容がパソコン１００等の外部機器から送られてきた仮想回線接続を要求するものであれば、低頻度用制御シーケンス（図４参照）と同様に、副制御部２０２は、状態ST13に遷移して（TR13）その外部機器との仮想回線接続に係る処理を行い、その後、状態ST31に遷移して主電源２０６の投入制御を行う。
【０１０１】
また、上記送られてきたデータの内容が通信インタフェースに関する処理（バスＢ自体の通信制御に必要なデータの処理、通信障害等の情報通知要求に関するデータの処理など）に関するものであれば、低頻度用制御シーケンス（図４参照）と同様に、副制御部２０２は、状態ST14に遷移して（TR14）そのデータに含まれる各種コマンドに従って上記通信インタフェースに関する処理を行う。
【０１０２】
また、上記送られてきたデータの内容が通信相手と接続に関する情報の交換を行わない所定の通信（コネクションレス型通信）プロトコルに従ったプリント装置２００の状態管理に関するものであれば、副制御部２０２は、前述した低頻度用制御シーケンス（図４参照）の場合のように主電源２０６の投入制御（図４に示すST12→ST3参照）を行わずに、状態ST17に遷移する（TR17）。この状態ST17では、副制御部２０２は、その送られてきたデータに基づいて当該プリント装置２００の状態管理に係る処理（装置状態の設定処理や問い合わせに対する装置状態の応答処理）を行う。
【０１０３】
上記のように主電源２０６の投入制御がなされると、副制御部２０２は、図４に示す低頻度用制御シーケンスと同様に、インタフェース部２０１からのデータの待ち状態（ST21）となる。この状態で、上記のようにプリント装置２００の状態管理に関するデータが送られてくると、副制御部２０２は、状態ST２１から状態ST22Kを介して状態ST27に遷移する。そして、この状態ST27において、副制御部２０２は、その送られてきたデータに基づいて装置状態の設定処理や問い合わせに対する装置状態の応答処理などの状態管理に関する処理を行う。
【０１０４】
前述したように制御切替部２０７からの高頻度用シーケンスへの切替の指示を受けた主制御部２０３には、図９に示す状態遷移に対応した高頻度制御シーケンスが設定される。そして、主制御部２０３は、この高頻度制御シーケンスに従って次のように制御動作を行う。図９において、図５に示す部分と同一の部分については同一の参照符号が付されている。
【０１０５】
この図９に示す状態遷移では、図５に示す状態遷移と比較して、プリンタ装置２００の状態管理に係る処理を行うべき状態ST43が無い。即ち、主制御部２０３は、主電源２０６が投入された後、そのプリンタ装置２００の状態管理に係る処理を行うことはない。主制御部２０３は、外部機器（パソコン）からの記録データが副制御部２０２から転送された場合に（ST41→ST42K）に状態ST44に遷移して（TR44）その記録データを格納手段に蓄積する。そして、プリント動作を実行させるための制御命令が副制御部２０２から転送された場合（ST41→ST42K、TR46）、主制御部２０３は、その制御命令に基づいて上記格納手段に蓄積された記録データを用いて記録部２０４のプリント制御処理を行う（ST45→ST46）。
【０１０６】
上記のような高頻度用制御シーケンスに従って制御動作を行う副制御部２０２及び主制御部２０３の更に具体的な処理手順について図１０を参照して説明する。なお、図１０において図６と同様な部分についての詳細な説明は省略する。
【０１０７】
図６において、APR要求やICMP要求に関する処理は、図４に示す低頻度用制御シーケンスの場合と同様に、副制御部２０２にてなされる。更に、インタフェース部２０１からSNMPに従ったコネクションレス型通信により当該プリンタ装置２００の状態管理に係る、例えば、状態設定の要求や当該プリンタ装置２００の状態問い合わせの要求（SNMP要求）が受信されると、主電源２０６の投入制御はなされることなく、副制御部２０２がその要求に係るコマンドに従った処理を行う。そして、副制御部２０２は、その処理結果（状態設定結果、問い合わせ応答等）を上記要求（SNMP要求）の応答（SNMP要求）としてその要求元に宛てて送信する。
【０１０８】
上述したような高頻度用制御シーケンスに従った処理によれば、比較的高い頻度でプリンタ装置２００の状態管理に係るデータが送られてきたとしても、そのデータに基づいた処理は副電源２０５から電力供給を受ける副制御部２０２にて実行される。そのため、そのような状態管理に係るデータが比較的高い頻度で送られてきても、主電源２０６が頻繁に投入されることがなくなり、主制御部２０３での電力消費が高騰することがない。例えば、低頻度用制御シーケンスでは、図６に示すように、その状態管理に係るSNMP要求が当該プリンタ装置２００に送られてきたときに、主電源２０６の投入がなされるのに対し、高頻度用制御シーケンスでは、図１０に示すように、そのようなSNMP要求が当該プリンタ装置２００に送られてきても、主電源２０６の投入はなされない。
【０１０９】
上記のように低頻度用制御シーケンスと高頻度用制御シーケンスを切替える上記制御切替部２０７により、状態管理が頻繁に行われないネットワークにプリンタ装置２００が接続される場合、その状態管理に係る処理の機能を常時有効に保持させることによる副電源２０５の負担を軽減させると供に、状態管理が頻繁に行われるネットワークにプリンタ装置２００が接続される場合、主電源２０６が頻繁に投入されることによる電力消費の高騰を防止することができる。その結果、副制御部２０２と主制御部２０３での電力消費のバランスがとれ、全体の電力消費を低減させることが可能となる。
【０１１０】
上記制御切替部２０７によるプリンタ装置２００が接続されるネットワークでは状態管理の処理が低頻度でなされるか高頻度でなされるかの判断は、その頻度で状態管理の処理を副制御部２０２で行った場合に見込まれる副電源２０５の負担と、その頻度で状態管理の処理を主制御部２０３で行った場合に見込まれる主電源２０５の負担との比較に基づいて決められた基準にてなされることが好ましい。
【０１１１】
上記制御切替部２０７は、ユーザの設定や機器による設定に従って低頻度用制御シーケンスを用いるか高頻度用制御シーケンスを用いるかの指示を行っていたが、その状態管理に係る処理が行われる頻度に基づいてそれらの指示を行うこともできる。この場合、制御切替部２０７は、図１１に示す手順に従って処理を行う。
【０１１２】
図１１において、制御切替部２０７は、コマンド処理数カウンタ及び計測時間カウンタをリセットし（S1）、その後、計測時間カウンタをスタートさせる（S2）。この状態で、主制御部２０３及び副制御部２０２のいずれかにおいて状態管理に係るコマンド（装置状態の設定命令及び装置状態の問い合わせ命令など）処理がなされたか否かが判定される（S３）。このコマンド処理がなされると、コマンド処理数カウンタが＋１だけインクリメントされる（S４）。そして、計測時間カウンタの計数値が所定計測時間に達したものであるかが判定される。この計測時間カウンタの計数値が当該所定計測時間に達したものでなければ、上記コマンド処理がなされる毎に上記コマンド処理カウンタのインクリメントが行われる（S3、S4、S5）。
【０１１３】
制御切替部２０７は、上記計測時間カウンタの計数値が上記所定計測時間に達したものであると判定すると、計測時間カウンタを停止させる（S6）。そして、制御切替部２０７は、コマンド処理数カウンタの計数値と上記所定計測時間に基づいて演算されるコマンド処理頻度が所定値以上となるか否かを判定する（S7）。そして、そのコマンド処理頻度が所定値以上となる場合、制御切替部２０７は、主制御部２０３及び副制御部２０２に対して高頻度用制御シーケンス（図８、図９参照）の使用を指示する。一方、上記コマンド処理頻度が所定値より小さい場合、制御切替部２０７は、主制御部２０３及び副制御部２０２に対して低頻度用制御シーケンス（図４、図５参照）の使用を指示する。
【０１１４】
このような処理により、状態管理に係る処理が低頻度でなされるか高頻度でなされるかの設定をユーザや機器が行わなくても、制御切替部２０７が自動的に判断して適正な制御シーケンスの指示を主制御部２０３及び副制御部２０２に行うことができる。
【０１１５】
上記コマンド処理頻度との比較を行う所定値（S7参照）は、前述したのと同様に、その頻度でコマンド処理を副制御部２０２で行った場合に見込まれる副電源２０５の負担と、その頻度でコマンド処理を主制御部２０３で行った場合に見込まれる主電源２０５の負担との比較に基づいて決めることが好ましい。
【０１１６】
なお、上述した各例における副制御部２０２、主制御部２０３及び制御切替部２０７は、一又は複数のCPUで実現することができる。その場合、副制御部２０２の機能（図４、図８参照）を実現するプログラム、主制御部２０３の機能（図５、図９参照）を実現するプログラム、制御切替部２０７の機能（図１１参照）を実現するプログラムは、別々にまたは２以上の組にして、CD-ROMなどの光学的記録媒体や、フレキシブルディスクなどの磁気的記録媒体を用いて当該プリンタ装置に提供することも、ネットワークなどの通信路を介して提供することもできる。また、当該プリンタ装置２００の製造時に内部の半導体メモリ（ROMなど）、ハードディスク装置に予めそれらのプログラムを記憶させておくこともできる。
【０１１７】
上記各例では、プリンタ装置２００の状態管理に係る処理を副制御部２０２及び主制御部２０３のいずれか一方で行われるような切替制御を行っていたが、その切替の対象となる処理は、プリンタ装置２００において必要な処理であって、主電源２０６の投入処理及び記録部２０４の動作制御処理以外の処理であれば、特に限定されない。
【０１１８】
なお、上記各例において、主制御部２０３は、第一の制御処理手段に対応すると供に、図５または図９に示す状態遷移（制御シーケンス）に従ってなされる処理は、第一種の制御処理に対応する。また、副制御部２０２は、第二の制御処理手段に対応すると供に、図４または図９に示す状態遷移（制御シーケンス）に従ってなされる処理は、第二種の制御処理に対応する。
【０１１９】
また、制御切替部２０７は、制御処理設定手段に対応し、特に、制御切替部２０７の図１１に示す手順に従った処理は、制御処理可変手段に対応する。
【０１２０】
【発明の効果】
以上、説明したように、請求項１記載の本願発明によれば、第一の電源の投入が行われるまでは第一の制御処理手段は有効とならず、その第一種の制御処理を行う第一の制御処理手段を有効に保つための電力は必要なくなる。これにより、制御に係る電力消費をできるだけ低減できるようにした電子機器を実現することができる。
【０１２１】
また、請求項２記載の本願発明によれば、そのような電子機器に適用される制御装置を実現することができる。
【０１２２】
更に、請求項３及び４記載の本願発明によれば、そのような制御装置での処理をコンピュータに行わせるためのプログラム及びそのプログラムを記憶した記録媒体を実現することができる。
【図面の簡単な説明】
【図１】  本発明の実施の一形態に係る電子機器（プリンタ装置）が適用されるシステムの一例を示す図である。
【図２】  図１に示すシステムにおけるプリンタ装置の第一の構成例を示すブロック図である。
【図３】  図１に示すシステムにおけるプリンタ装置とそれを制御するパソコン（ホスト）の機能部の階層的構成例を示す図である。
【図４】  図２に示す副制御部のとり得る状態遷移の第一の例を示す状態遷移図である。
【図５】  図２に示す主制御部のとり得る状態遷移の第一の例を示す状態遷移図である。
【図６】  副制御部と主制御部の動作と電源のオン、オフ制御の第一の例を示すシーケンス図である。
【図７】  図１に示すシステムにおけるプリンタ装置の第二の構成例を示すブロック図である。
【図８】  図７に示す副制御部のとり得る状態遷移の第二の例を示す状態遷移図である。
【図９】  図７に示す主制御部のとり得る状態遷移の第二の例を示す図である。
【図１０】  副制御部と主制御部の動作と電源のオン、オフ制御の第二の例を示すシーケンス図である。
【図１１】  図７に示すプリンタ装置における制御切替部での処理例を示すフローチャートである。
【符号の説明】
１００  パソコン                  １０１  アプリケーション
１０２  プリンタドライバ          １０３  伝送制御部
１０４  通信路制御部              １１０  画像読取装置
２００、２１０  プリンタ装置      ２０１  インタフェース部（IF部）
２０２  副制御部                  ２０２ａ  伝送制御部
２０２ｂ  通信路制御部            ２０３  主制御部
２０３ａ  プリンタ制御部          ２０４  画像形成部
２０５  副電源                    ２０６  主電源
２０７  制御切替部
【図１】
0003969084.tif 000002
【図２】
0003969084.tif 000003
【図３】
0003969084.tif 000004
【図４】
0003969084.tif 000005
【図５】
0003969084.tif 000006
【図６】
0003969084.tif 000007
【図７】
0003969084.tif 000008
【図８】
0003969084.tif 000009
【図９】
0003969084.tif 000010
【図１０】
0003969084.tif 000011
【図１１】
0003969084.tif 000012